(57)【要約】      （修正有）【課題】携帯端末を保持するための高さ調節が可能なＶＲ用メガネを提供する。【解決手段】左右のレンズ１１を保持する本体部１０の左右端に対して、後方側末端部に端末保持部２２Ｌ，２２Ｒを備えたツル部２０Ｌ，２０Ｒを、連結具３０を介して連結し、連結具３０を、ツル部２０Ｌ，２０Ｒを左右方向に回動可能かつ上下方向に移動可能な態様で保持するような構成とすることにより、左右のツル部２０Ｌ，２０Ｒによって保持された携帯端末が有するディスプレイの一部領域が端末保持部２２Ｌ，２２Ｒによって遮蔽されたり、画像投影空間が端末保持部２２Ｌ，２２Ｒによって分断されたりすることなく、端末保持部２２Ｌ，２２Ｒの高さを上下に調節することができるようにする。【選択図】図１
2019022182.tif 000002
【特許請求の範囲】
【請求項１】
左右のレンズと、
上記左右のレンズを保持する本体部と、
上記本体部の左右端に対して連結具を介して連結された左右のツル部と、
上記本体部と上記左右のツル部とを連結する上記連結具と、
上記ツル部の上記本体部とは反対側に設けられ、視差画像を表示するためのディスプレイを有する携帯端末を保持するための端末保持部とを備え、
上記連結具は、上記ツル部を、左右方向に回動可能かつ上下方向に移動可能な態様で保持することを特徴とするＶＲ用メガネ。
【請求項２】
上記ツル部の上記本体部側の端部および上記本体部の左右の端部には、上記ツル部の左右方向の回動に伴って、嵌合状態または非嵌合状態の何れかの状態となるように構成された嵌合部が設けられ、上記ツル部が有する嵌合部および上記本体部が有する嵌合部の少なくとも一方は、上下方向に複数設けられていることを特徴とする請求項１に記載のＶＲ用メガネ。
【請求項３】
上記連結具は、上下方向に延在する回動軸を備え、
上記ツル部は、上記回動軸と対向する位置に軸保持部を備え、
上記軸保持部は、上記回動軸を挿通させる貫通孔を有し、当該回動軸に対して回動可能かつ上下方向に移動可能に構成されていることを特徴とする請求項１または２に記載のＶＲ用メガネ。
【請求項４】
上記連結具は、上下の離間した位置に軸受部を備え、
上記上下の軸受部は、上記ツル部が有する回動軸を挿通させる穴を有し、当該回動軸を左右方向に回動可能かつ上下方向に移動可能に保持し、
上記ツル部は、上下方向に延在する上記回動軸を備えたことを特徴とする請求項１または２に記載のＶＲ用メガネ。
【請求項５】
上記連結具は、上記本体部から上記ツル部側に突出した位置に上記回動軸を備えることを特徴とする請求項３または４に記載のＶＲ用メガネ。
【請求項６】
上記連結具は、上記本体部から上記ツル部側に突出していない位置に上記回動軸を備えることを特徴とする請求項３または４に記載のＶＲ用メガネ。
【請求項７】
上記ツル部の上記本体部側の端部および上記本体部の左右の端部にそれぞれ備えられる嵌合部は、一方が凸状嵌合部、他方が凹状嵌合部であり、
上記本体部が上記凹状嵌合部を備え、上記ツル部が上記凸状嵌合部を備えることを特徴とする請求項２〜６の何れか１項に記載のＶＲ用メガネ。
【請求項８】
上記ツル部の上記本体部側の端部および上記本体部の左右の端部にそれぞれ備えられる嵌合部は、一方が凸状嵌合部、他方が凹状嵌合部であり、
上記本体部が上記凸状嵌合部を備え、上記ツル部が上記凹状嵌合部を備えることを特徴とする請求項２〜６の何れか１項に記載のＶＲ用メガネ。
【発明の詳細な説明】
【技術分野】
【０００１】
本発明は、ＶＲ用メガネに関し、特に、携帯端末のディスプレイに表示される視差画像をレンズを通して立体視させることにより、ユーザが仮想現実の３次元空間画像を視認できるようにしたＶＲ用メガネに用いて好適なものである。
【背景技術】
【０００２】
近年、コンピュータの中に作られた仮想的な世界をあたかも現実のように体験させる仮想現実（ＶＲ：バーチャルリアリティ）技術の活用が広がりを見せつつある。ＶＲによる３次元空間画像を表示するためのデバイスとして、ゴーグル型のＨＭＤ（ヘッドマウントディスプレイ）が広く用いられている。一般的なＶＲヘッドマウントディスプレイは、仮想３次元空間を作り出すための視差画像を表示させるディスプレイと、表示された視差画像をユーザの目に立体視させるためのレンズとを備えて構成されている。
【０００３】
これに対し、スマートフォンでＶＲ体験を実現できるようにしたＶＲゴーグルと呼ばれるものも提供されている。ＶＲゴーグルは、スマートフォンを保持するための保持部と、スマートフォンのディスプレイに表示された視差画像をユーザの目に立体視させるためのレンズとを備えて構成されている。保持部およびレンズは、保持部に装着されたスマートフォンのディスプレイに表示される視差画像がレンズに適切に投影されるような位置に設けられている。
【０００４】
ＶＲゴーグルは、ゴーグルにレンズが付いただけのものであるので、ＶＲヘッドマウントディスプレイに比べて非常に安価である。また、ＶＲゴーグルは、折り畳むことができて、持ち運びにも便利である。そのため、多くのユーザに使われている。特に、ダンボール等の軽量で安価な素材を用いて構成したＶＲゴーグルが知られている。
【０００５】
ところで、ＶＲゴーグルを利用するユーザが所持するスマートフォンのサイズは様々である。そのため、ＶＲゴーグルの保持部に装着されるスマートフォンのサイズによって、スマートフォンのディスプレイと、ＶＲゴーグルに備えられているレンズとの相対位置関係が変わる。例えば、所定サイズのスマートフォンを想定して形成された保持部に対して、それよりもサイズの小さいまたは大きいスマートフォンを装着すると、スマートフォンのディスプレイとレンズとの相対位置関係が、本来予期していた理想的な位置からずれてしまうことになる。この場合、スマートフォンのディスプレイに表示された視差画像がレンズに適切に投影されず、レンズを通したユーザの目にＶＲの３次元空間画像を適切に立体視させることができなくなるという問題を生じる。
【０００６】
これに対して、従来、スマートフォンを保持するための保持部を、高さを上下に調節できるようにしたＶＲゴーグルも知られている（例えば、特許文献１参照）。特許文献１に記載の三次元画像用眼鏡では、図７に示すように、高さを上下に調節できる保持部にスマートフォンを取り付けることによって、スマートフォンのディスプレイとレンズとの相対位置関係を適切な状態に設定することが可能となる。
【先行技術文献】
【特許文献】
【０００７】
【特許文献１】意匠登録第１５５９８７１号公報
【発明の概要】
【発明が解決しようとする課題】
【０００８】
しかしながら、上記特許文献１に記載のＶＲゴーグルでは、左右のレンズの真ん中の位置に保持部が設けられており、この保持部に対してスマートフォンの中央部を取り付ける構成となっている。そのため、ディスプレイの中央部は保持部によって塞がれる態様となり、この塞がれた部分の領域は画像を表示させることができない。また、特許文献１に記載の構造だと、ディスプレイとレンズとの間の画像投影空間が、保持部を境界として完全に左右に分断されてしまう。そのため、保持部よりも右側の領域のディスプレイに表示された視差画像は、保持部よりも左側の領域にあるレンズには投影されず、同様に、保持部よりも左側の領域のディスプレイに表示された視差画像は、保持部よりも右側の領域にあるレンズには投影されない。
【０００９】
以上のようなＶＲゴーグルの構造の特殊性のため、ディスプレイに表示させる視差画像も、ＶＲゴーグルの特殊性に合わせて特殊な態様で作り込まなければならなくなってしまう。そして、このように特殊な態様で作り込まれた視差画像は、特許文献１に記載のＶＲゴーグル以外には使うことができない、汎用性に乏しいものになってしまうという問題がある。
【００１０】
本発明は、このような問題を解決するために成されたものであり、ＶＲゴーグルに保持される携帯端末が有するディスプレイの一部領域が保持部によって遮蔽されたり、ディスプレイとレンズとの間の画像投影空間が保持部によって分断されたりするようなことなく、携帯端末を保持するための保持部の高さを上下に調節できるようにすることを目的とする。
【課題を解決するための手段】
【００１１】
上記した課題を解決するために、本発明では、左右のレンズを保持する本体部の左右端に対して、連結具を介して左右のツル部を連結し、ツル部の本体部とは反対側に端末保持部を備える構成としている。また、本発明では、本体部とツル部とを連結する連結具を、ツル部を左右方向に回動可能かつ上下方向に移動可能な態様で保持するような構成としている。
【発明の効果】
【００１２】
上記のように構成した本発明によれば、左右のレンズよりも外側にある左右のツル部によって携帯端末が保持されるので、携帯端末が有するディスプレイの一部領域が端末保持部によって遮蔽されてしまうことはない。また、本発明によれば、携帯端末のディスプレイと左右のレンズとの間の画像投影空間上に端末保持部が存在しないので、画像投影空間が端末保持部によって分断されたりするようなこともない。そして、本体部とツル部とを連結するための連結具によって、ツル部が左右方向に回動可能かつ上下方向に移動可能な態様で保持されているので、ツル部に設けられた端末保持部の高さを上下に調節することができる。これにより、携帯端末のサイズに応じて、レンズに対するディスプレイの相対位置を適切に設定することが可能となる。
【図面の簡単な説明】
【００１３】
【図１】本実施形態によるＶＲ用メガネの一構成例を示す図である。
【図２】本実施形態による嵌合部の嵌合状態および非嵌合状態を示す図である。
【図３】本実施形態の端末保持部に携帯端末を保持した状態を示す平面図である。
【図４】本実施形態によるＶＲ用メガネの他の構成例を示す図である。
【図５】本実施形態によるＶＲ用メガネの他の構成例を示す図である。
【図６】本実施形態によるＶＲ用メガネの他の構成例を示す図である。
【図７】従来のＶＲゴーグルの構成例を示す図である。
【発明を実施するための形態】
【００１４】
以下、本発明の一実施形態を図面に基づいて説明する。図１は、本実施形態によるＶＲ用メガネの構成例を示す図である。図１に示すように、本実施形態のＶＲ用メガネは、左右のレンズ１１を保持する本体部１０と、当該本体部１０に連結された左右のツル部２０Ｌ，２０Ｒとを備えて構成されている。左右のツル部２０Ｌ，２０Ｒは、それぞれ本体部１０に対して連結具３０を介して連結されている。
【００１５】
本体部１０は、レンズ保持用フレーム１２によって左右のレンズ１１を保持するものである。左右のレンズ１１は、ユーザの２つの目の間隔とほぼ同等の間隔を有する位置に配置されている。レンズ保持用フレーム１２の左側および右側には、当該レンズ保持用フレーム１２に対してツル部２０Ｌ，２０Ｒの方向に直角の角度を成すツル連結用フレーム１３Ｌ，１３Ｒが形成されている。
【００１６】
なお、以下では、レンズ保持用フレーム１２に対してツル部２０Ｌ，２０Ｒの方向を後方、それとは逆の方向を前方として説明する。また、ツル部２０Ｌ，２０Ｒの構成を説明する際に、図１のようにツル部２０Ｌ，２０Ｒを全開した状態を基準として、本体部１０の方向を前方、それとは逆の方向を後方として説明する。
【００１７】
また、レンズ保持用フレーム１２の上側には、左右のツル連結用フレーム１３Ｌ，１３Ｒの間を横架する横架フレーム１４が形成されている。なお、横架フレーム１４を設けることは必須ではないが、横架フレーム１４を形成することにより、これを形成しない場合に比べて大きな剛性を本体部１０に与えることが可能である。
【００１８】
左右のツル連結用フレーム１３Ｌ，１３Ｒの内側に、連結具３０が備えられている。連結具３０は、左右のツル部２０Ｌ，２０Ｒを、左右方向に回動可能かつ上下方向に移動可能な態様で保持する。すなわち、連結具３０は、本体部１０からツル部２０Ｌ，２０Ｒ側（後方）に突出した位置に、上下方向に延在する回動軸３３を備えている。一方、左右のツル部２０Ｌ，２０Ｒは、回動軸３３と対向する位置に軸保持部２１を備えている。軸保持部２１は、回動軸３３を挿通させる貫通孔を有し、当該回動軸３３に対して回動可能かつ上下方向に移動可能に構成されている。
【００１９】
具体的には、連結具３０は、ツル連結用フレーム１３Ｌ，１３Ｒと平行な固定プレート３１と、固定プレート３１の上端および下端に形成された軸受プレート３２と、当該２つの軸受プレート３２の間に固定された回動軸３３とを備えて構成されている。
【００２０】
固定プレート３１は、ツル連結用フレーム１３Ｌ，１３Ｒに対して平行な角度で固定されている。なお、上下の軸受プレート３２をツル連結用フレーム１３Ｌ，１３Ｒに固定するようにすれば、固定プレート３１は必ずしも設けなくてもよいが、連結具３０の剛性を高めることができる点で、固定プレート３１を設けるのが好ましい。
【００２１】
固定プレート３１は、その一部がツル連結用フレーム１３Ｌ，１３Ｒから後方に突出している。軸受プレート３２も、固定プレート３１と同様、その一部がツル連結用フレーム１３Ｌ，１３Ｒから後方に突出している。上下方向に延在する回動軸３３は、ツル連結用フレーム１３Ｌ，１３Ｒから後方に突出している軸受プレート３２の末端部の位置に設けられている。
【００２２】
そして、左右のツル部２０Ｌ，２０Ｒは、回動軸３３と対向する位置に設けられた軸保持部２１によって回動軸３３に保持される。これにより、左右のツル部２０Ｌ，２０Ｒは、ツル連結用フレーム１３Ｌ，１３Ｒから後方に突出した位置に存在する回動軸３３を軸として、左右方向に回動可能かつ上下方向に移動可能に保持される。
【００２３】
本体部１０の左右の端部およびツル部２０Ｌ，２０Ｒの本体部１０側（前方側）の端部には、ツル部２０Ｌ，２０Ｒの左右方向の回動に伴って、嵌合状態または非嵌合状態の何れかの状態となるように構成された嵌合部１５，２５が設けられている。本実施形態では、本体部１０の左右の端部に設けられる嵌合部１５は、ツル連結用フレーム１３Ｌ，１３Ｒの後方側端部から前方に向かって切り込まれた凹状嵌合部である。一方、ツル部２０Ｌ，２０Ｒの前方側の端部に設けられる嵌合部２５は、ツル部２０Ｌ，２０Ｒの前方側の端部から前方に突出した凸状嵌合部である。
【００２４】
本体部１０の凹状嵌合部１５は、上下方向に複数設けられている。図１の例では、６個の凹状嵌合部１５が上下方向に等間隔に設けられている。１つ１つの凹状嵌合部１５は、ツル部２０Ｌ，２０Ｒの凸状嵌合部２５とほぼ同形同大の穴により構成されている。なお、凹状嵌合部１５は、少なくともツル連結用フレーム１３Ｌ，１３Ｒの外側が開口していればよく、内側まで貫通している必要はないが、貫通していてもよい。
【００２５】
一方、ツル部２０Ｌ，２０Ｒの凸状嵌合部２５は、上下方向に２つ設けられている。この２つの凸状嵌合部２５は、６個の凹状嵌合部１５のうち何れか任意の隣接した２つと嵌合する。上述したように、ツル部２０Ｌ，２０Ｒは、回動軸３３を軸として上下方向に移動可能である。ツル部２０Ｌ，２０Ｒを上下方向に移動させることにより、凸状嵌合部２５を嵌合させる２つの凹状嵌合部１５の位置を任意に選ぶことが可能である。
【００２６】
ここでは、凸状嵌合部２５を２つ設ける例について説明したが、凹状嵌合部１５の数よりも少なければよい。例えば、凸状嵌合部２５は、１個または３〜５個の何れであってもよい。なお、凸状嵌合部２５を凹状嵌合部１５に嵌合させたときの固定安定性の観点から、凸状嵌合部２５は１つよりも複数の方が好ましい。また、凸状嵌合部２５を嵌合させる凹状嵌合部１５の位置の選択多様性の観点から、凸状嵌合部２５の数は多すぎない方が好ましい。よって、図１のように凸状嵌合部２５を２つとするのが好ましい。さらに、２つの凸状嵌合部２５は、６個の凹状嵌合部１５のうち隣接する２個の凹状嵌合部１５と嵌合するような間隔で設けるのが好ましい。凹状嵌合部１５の位置の選択多様性が増すからである。
【００２７】
なお、図１は、ツル部２０Ｌ，２０Ｒを左右方向に回動させることによって、ツル部２０Ｌ，２０Ｒを開いた状態を示している。このようにツル部２０Ｌ，２０Ｒを開状態としたときに、本体部１０の凹状嵌合部１５とツル部２０Ｌ，２０Ｒの凸状嵌合部２５とが嵌合状態となる。一方、ツル部２０Ｌ，２０Ｒを左右方向に回動させることによって、ツル部２０Ｌ，２０Ｒを閉状態にすると、本体部１０の凹状嵌合部１５とツル部２０Ｌ，２０Ｒの凸状嵌合部２５とが非嵌合状態となる。
【００２８】
図２は、嵌合部１５，２５の嵌合状態および非嵌合状態を示す図である。図２（ａ）は、本実施形態のＶＲ用メガネを上方から見た平面図であり、ツル部２０Ｌ，２０Ｒが開状態となって、本体部１０の凹状嵌合部１５とツル部２０Ｌ，２０Ｒの凸状嵌合部２５とが嵌合状態となっている様子を示している。
【００２９】
一方、図２（ｂ）および（ｃ）は、それぞれ本実施形態のＶＲ用メガネを上方から見た平面図および後方から見た背面図であり、ツル部２０Ｌ，２０Ｒが閉状態となって、本体部１０の凹状嵌合部１５とツル部２０Ｌ，２０Ｒの凸状嵌合部２５とが非嵌合状態となっている様子を示している。なお、図２（ｂ）および（ｃ）は、ツル部２０Ｌ，２０Ｒが最も閉じた状態を示しているが、このように完全に閉じた状態でなくても、すなわち、図２（ａ）と図２（ｂ）との間の状態であっても、嵌合部１５，２５は非嵌合状態となる。
【００３０】
図２（ｂ）、（ｃ）のようにツル部２０Ｌ，２０Ｒを閉じて嵌合部１５，２５が非嵌合状態となっているときに、ツル部２０Ｌ，２０Ｒを上下方向に移動させ、その後、図２（ａ）のようにツル部２０Ｌ，２０Ｒを開いて嵌合部１５，２５を嵌合状態とすることにより、ツル部２０Ｌ，２０Ｒの２つの凸状嵌合部２５を、本体部１０の６個の凹状嵌合部１５のうち何れか任意の２つと嵌合させることが可能である。これにより、ツル部２０Ｌ，２０Ｒの本体部１０に対する相対高さを調整することができる。
【００３１】
ツル部２０Ｌ，２０Ｒは、略Ｌ字状に形成されており、本体部１０の側から後方に向かって延びる部位（以下、水平部位２３という）と、後方末端の位置において下方に向かって延びる部位（以下、垂直部位２４という）とを有している。このツル部２０Ｌ，２０Ｒの本体部１０とは反対側（後方末端側）で下方に延びる垂直部位２４には、視差画像を表示するためのディスプレイを有する携帯端末（スマートフォン）を保持するための端末保持部２２Ｌ，２２Ｒが備えられている。
【００３２】
具体的には、端末保持部２２Ｌ，２２Ｒは、ツル部２０Ｌ，２０Ｒの垂直部位２４の下端から内側斜め方向に延在する底部プレート２６と、底部プレート２６の末端に立設された支柱２７と、支柱２７の上端に設けられたガイド部２８とにより構成されている。携帯端末は、ディスプレイが本体部１０の方向を向くように立てた状態にして、ツル部２０Ｌ，２０Ｒの垂直部位２４とガイド部２８との間に挿入され、底部プレート２６により下支えされる。
【００３３】
図３は、端末保持部２２Ｌ，２２Ｒに携帯端末を保持した状態を示す平面図である。図３に示すように、携帯端末５０は、一方の面に配置されたディスプレイ５１が本体部１０の方向を向くように立てた状態にして、端末保持部２２Ｌ，２２Ｒにより保持される。端末保持部２２Ｌ，２２Ｒは、本体部１０が保持している左右のレンズ１１よりも外側に配置された左右のツル部２０Ｌ，２０Ｒの後方末端に備えられているので、ディスプレイ５１に表示された視差画像がレンズ１１に投映される画像投影空間上に、当該投影を遮蔽する障害物は存在しない。
【００３４】
なお、ツル部２０Ｌ，２０Ｒの垂直部位２４に対して底部プレート２６を回動可能に構成するようにしてもよい。このようにすることにより、垂直部位２４とガイド部２８との間に携帯端末５０を挿入するときには、垂直部位２４とガイド部２８との間隔を広げて挿入しやすい状態にしておき、携帯端末５０を挿入し終わった後に、垂直部位２４とガイド部２８との間隔を狭めることにより、携帯端末５０を前後方向から挟持できるようすることが可能である。
【００３５】
以上詳しく説明したように、本実施形態では、左右のレンズ１１を保持する本体部１０の左右端に対して、連結具３０を介して左右のツル部２０Ｌ，２０Ｒを連結し、ツル部２０Ｌ，２０Ｒの後方側に端末保持部２２Ｌ，２２Ｒを備える構成としている。また、本実施形態では、本体部１０とツル部２０Ｌ，２０Ｒとを連結する連結具３０を、ツル部２０Ｌ，２０Ｒを左右方向に回動可能かつ上下方向に移動可能な態様で保持するような構成としている。
【００３６】
上記のように構成した本実施形態によれば、左右のレンズ１１よりも外側にある左右のツル部２０Ｌ，２０Ｒの後方末端に備えられた端末保持部２２Ｌ，２２Ｒによって携帯端末５０が保持されるので、携帯端末５０が有するディスプレイ５１の一部領域が端末保持部２２Ｌ，２２Ｒによって遮蔽されてしまうことはない。また、本実施形態によれば、携帯端末５０のディスプレイ５１と左右のレンズ１１との間の画像投影空間上に端末保持部２２Ｌ，２２Ｒが存在しないので、画像投影空間が端末保持部２２Ｌ，２２Ｒによって分断されたりするようなこともない。
【００３７】
さらに、本実施形態によれば、本体部１０とツル部２０Ｌ，２０Ｒとを連結するための連結具３０によって、ツル部２０Ｌ，２０Ｒが左右方向に回動可能かつ上下方向に移動可能な態様で保持されているので、ツル部２０Ｌ，２０Ｒに設けられた端末保持部２２Ｌ，２２Ｒの高さを上下に調節することができる。これにより、携帯端末５０のサイズに応じて、レンズ１１に対するディスプレイ５１の相対位置を適切に設定することが可能となる。
【００３８】
なお、以上に示した構成は一例に過ぎず、本発明はこれに限定されるものではない。例えば、図４のように連結具３０’を構成するようにしてもよい。図４に示す構成において、連結具３０’は、ツル連結用フレーム１３Ｌ，１３Ｒと平行な固定プレート３１と、固定プレート３１の上端および下端に形成された軸受プレート３２’（特許請求の範囲の軸受部に相当）とを備えて構成されている。軸受プレート３２’の後方側末端部には、ツル部２０Ｌ’，２０Ｒ’の回動軸２９を挿通するための穴が開けられている。
【００３９】
すなわち、図４に示す連結具３０’は、本体部１０から後方に突出した位置に上下の軸受プレート３２’を備え、当該上下の軸受プレート３２’は、ツル部２０Ｌ’，２０Ｒ’が有する回動軸２９を挿通させる穴を有し、当該回動軸２９を左右方向に回動可能かつ上下方向に移動可能に保持している。
【００４０】
一方、ツル部２０Ｌ’，２０Ｒ’は、図１に示した軸保持部２１と同様の位置に設けた軸保持部２１’と、当該軸保持部２１’が有する貫通孔に挿通した回動軸２９とを備えている。軸保持部２１’と回動軸２９とは固定されており、回動軸２９を軸として軸保持部２１’が左右方向に回動したり上下方向に移動したりすることはできない構成となっている。その代わり、軸受プレート３２’の穴に挿通された回動軸２９自身が、左右方向に回動可能かつ上下方向に移動可能に構成されている。
【００４１】
また、上記実施形態では、本体部１０が凹状嵌合部１５を備え、ツル部２０Ｌ，２０Ｒが凸状嵌合部２５を備える構成について説明したが、これとは逆に、ツル部２０Ｌ，２０Ｒ（またはツル部２０Ｌ’，２０Ｒ’）が凹状嵌合部を備え、本体部１０が凸状嵌合部を備える構成としてもよい。図５は、ツル部２０Ｌ”，２０Ｒ”が６個の凹状嵌合部２５”を備え、本体部１０”が２個の凸状嵌合部１５”を備える構成を示したものである。その他の構成は、図１と同様である。
【００４２】
また、上記実施形態では、本体部１０からツル部２０Ｌ，２０Ｒの側に突出した位置に回動軸２９，３３を備える構成を示したが、本体部１０からツル部２０Ｌ，２０Ｒの側に突出していない位置に回動軸２９，３３を備える構成とすることも可能である。図６は、本体部１０'''からツル部２０Ｌ'''，２０Ｒ'''の側に突出していない位置に回動軸３３”を備える構成例を示したものである。
【００４３】
図６に示す連結具３０”は、ツル連結用フレーム１３Ｌ，１３Ｒの内側において上下に離間する位置に設けられた軸受プレート３２”と、上下の軸受プレート３２”の間に設けられた上下方向に延在する回動軸３３”とを備える。軸受プレート３２”は、ツル連結用フレーム１３Ｌ，１３Ｒからツル部２０Ｌ'''，２０Ｒ'''の側に突出していない。よって、回動軸３３”は、本体部１０'''からツル部２０Ｌ'''，２０Ｒ'''の側に突出していない位置に存在する。
【００４４】
一方、ツル部２０Ｌ'''，２０Ｒ'''は、当該ツル部２０Ｌ'''，２０Ｒ'''の内側の面から端末保持部２２Ｌ，２２Ｒとは反対側の方向に突出した軸保持部２１”を備えている。軸保持部２１”の突出した先端部には、回動軸３３”を挿通させるための貫通孔が存在し、この貫通孔に回動軸３３”が挿通されている。これにより、軸保持部２１”は、回動軸３３”に対して左右方向に回動可能かつ上下方向に移動可能に構成されている。
【００４５】
このように構成した場合、本体部１０'''の左右の端部に設けられる凹状嵌合部１５'''は、少なくともツル連結用フレーム１３Ｌ，１３Ｒの内側が開口していればよく、外側まで貫通している必要はないが、貫通していてもよい。その他の構成は、図１と同様である。図６のように構成した場合、ツル部２０Ｌ'''，２０Ｒ'''を閉じたときに、ＶＲ用メガネをよりコンパクトに折り畳むことができるというメリットを有する。
【００４６】
また、上記実施形態では、端末保持部２２Ｌ，２２Ｒの構成として、図１に示す構造を例示したが、本発明はこれに限定されない。すなわち、端末保持部は、ディスプレイ５１が本体部１０側に向いた状態で携帯端末５０を保持できる構成で、かつ、ディスプレイ５１と本体部１０との間の画像投影空間を遮蔽する構造が存在しない構成であればよい。
【００４７】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００４８】
１０  本体部
１１  レンズ
１５，１５'''  凹状嵌合部
１５”  凸状嵌合部
２０Ｌ，２０Ｒ  ツル部
２１，２１’，２１”  軸保持部
２２Ｌ，２２Ｒ  端末保持部
２５  凸状嵌合部
２５”  凹状嵌合部
２９  回動軸
３０，３０’  連結具
３２，３２’，３２”  軸受プレート
３３，３３”  回動軸  
【図１】
2019022182.tif 000003
【図２】
2019022182.tif 000004
【図３】
2019022182.tif 000005
【図４】
2019022182.tif 000006
【図５】
2019022182.tif 000007
【図６】
2019022182.tif 000008
【図７】
2019022182.tif 000009